(57)【要約】【課題】蔓植物がフェンスを越えてフェンス内側の敷地に侵入するのを適切に防止するとともに耐久性が高い蔓巻き防止用シートの提供。【解決手段】蔓植物がフェンスに登ることを防止するために当該フェンスに装着される蔓巻き防止用シートであって、地面から立ち上がるように上記フェンスに装着される非腐食性の遮光性シートと、上記遮光性シートの上端部に連結され、上記遮光性シートよりも上方で上記フェンスに装着される透光性シートとを備える。【選択図】図１
2011024483.tif 000002
【特許請求の範囲】
【請求項１】
蔓植物がフェンスに登ることを防止するために当該フェンスに装着される蔓巻き防止用シートであって、
地面から立ち上がるように前記フェンスに装着される非腐食性の遮光性シートと、
前記遮光性シートの上端部に連結され、前記遮光性シートよりも上方で前記フェンスに装着される透光性シートと、を備えた蔓巻き防止用シート。
【請求項２】
前記遮光性シートおよび前記透光性シートは、共に、柔軟性素材で構成されて巻回可能であることを特徴とする請求項１に記載の蔓巻き防止用シート。
【請求項３】
前記遮光性シートは、ポリエステル系繊維からなる不織布で構成されることを特徴とする請求項２記載の蔓巻き防止用シート。
【請求項４】
前記不織布は、ペットボトルのリサイクル製品であることを特徴とする請求項３記載の蔓巻き防止用シート。
【請求項５】
少なくとも前記透光性シートには、当該透光性シートを補強する帯状の補強シートが取り付けられ、
前記補強シートには、前記透光性シートを前記フェンスに装着するための貫通孔が形成され、
前記貫通孔と前記フェンスの網目が連結具で連結されることにより、前記蔓巻き防止用シートが前記フェンスに装着されることを特徴とする請求項１に記載の蔓巻き防止用シート。
【請求項６】
前記貫通孔の内周縁には、当該内周縁を補強する補強リングが取り付けられていることを特徴とする請求項５に記載の蔓巻き防止用シート。
【請求項７】
前記透光性シートは、メッシュ状シートであることを特徴とする請求項１に記載の蔓巻き防止用シート。
【請求項８】
前記遮光性シートの下端部は、複数の貫通孔が形成されたシート端末押え用部材で上から押えられた状態で、前記貫通孔および地面に固定杭が打ち込まれることで、前記地面に固定されることを特徴とする請求項１記載の蔓巻き防止用シート。
【請求項９】
前記固定杭は、コンクリート地面に用いるコンクリート用固定杭、又は土の地面に用いる土用固定杭のいずれかであることを特徴とする請求項８記載の蔓巻き防止用シート。
【請求項１０】
請求項１に記載の蔓巻き防止用シートの設置方法であって、
少なくとも前記透光性シートには、当該透光性シートを補強する帯状の補強シートが取り付けられ、
前記補強シートには、前記透光性シートを前記フェンスに装着するための貫通孔が形成されており、
前記蔓巻き防止用シートの設置方法は、
前記遮光性シートの下端部を複数の貫通孔が形成されたシート端末押え用部材で上から押えた状態で、前記貫通孔から地面に固定杭を打ち込むことで、前記遮光性シートを前記地面に固定するステップと、
前記貫通孔と前記フェンスの網目を連結具で連結することにより、前記透光性シートを前記フェンスに装着するステップと、を備えた蔓巻き防止用シートの設置方法。
【発明の詳細な説明】
【技術分野】
【０００１】
本発明は、雑草や蔓植物が変電所等を取り囲むフェンスや鉄柵等に登るのを防止するための、蔓巻き防止用シートに関する。
【背景技術】
【０００２】
従来より、無線鉄塔、変電所、配電所、送電所、未整地の敷地、コンクリート劣化損傷の敷地の周囲には安全のためにネットフェンス、メッシュフェンス、格子フェンス等が設けられている。このようなフェンスの周辺に蔓植物や雑草が繁茂してフェンスを覆っている光景は良く目にする。
【０００３】
特に蔓植物には光の方向へと茎を伸ばす性質があるため、繁茂した蔓植物が、フェンスを覆ってしまい、美観を妨げることがある。また、繁茂の程度がひどい場合には、繁茂した蔓植物が、フェンスを乗り越えて、電線、アンテナ、変電所や配電塔の電気系統に絡み付き、電気不良を発生させることがある。
【０００４】
そこで、従来、無線鉄塔等を囲むフェンスの周囲に蔓植物が繁茂して蔓植物がフェンスを登るのを防止するために、フェンスの外側の面にナイロン等の柔軟性に富む素材からなる透光性シートを装着する方法がある。この方法によれば、蔓植物は透光性シートに沿って上方に伸びようとするものの、蔓植物は透光性シートに絡み付くことができない。よって、蔓植物がフェンスを乗り越えてフェンス内の敷地に侵入するのを防止することができる。また、柔軟性に富む素材からなるシートは、ロール状に巻回した状態で持ち運びすることができる上、ロールを展開しながらフェンスに装着していくことができるので、運搬および設置が容易である。
【０００５】
しかしながら、ナイロンからなる透光性シートは、地面に接触すると土中のバクテリアによって早期に腐食してしまう。このため、ナイロンからなる透光性シートは、下端部が地面から離れた状態で、フェンスに装着されることが多い。この場合、透光性シートと地面の間の隙間から蔓植物が侵入し、敷地内に蔓植物が繁茂してしまうという問題があった。また、ナイロンからなる透光性シートを地面に接触させた状態でフェンスに装着すると、透光性シートの下端部が早期に腐食してしまい、結局、その腐食した箇所から蔓植物が侵入してしまうという問題があった。
【０００６】
なお、特許文献１には、植物が路面に生い茂るのを防止するための防草シートが開示されている。しかしながら、この防草シートはフェンスに蔓植物が登るのを防止するためのシートではない。
【先行技術文献】
【特許文献】
【０００７】
【特許文献１】特開２００８−６１５５５号公報
【発明の概要】
【発明が解決しようとする課題】
【０００８】
本発明は以上の課題に鑑みてなされたものであり、蔓植物がフェンスを越えてフェンス内側の敷地に侵入するのを適切に防止するとともに耐久性が高い蔓巻き防止用シート、および、当該蔓巻き防止用シートの設置方法の提供を目的とする。
【課題を解決するための手段】
【０００９】
第１の発明は、
蔓植物がフェンスに登ることを防止するために当該フェンスに装着される蔓巻き防止用シートであって、
地面から立ち上がるように上記フェンスに装着される非腐食性の遮光性シートと、
上記遮光性シートの上端部に連結され、上記遮光性シートよりも上方で上記フェンスに装着される透光性シートと、を備えた蔓巻き防止用シートである。
【００１０】
第１の発明によれば、遮光性シートは地面から立ち上がるようにフェンスに装着されるので、遮光性シートと地面の間に隙間が生じない。よって、遮光性シートと地面の間から蔓植物が侵入するのを防止することができる。また、遮光性シートは非腐食性であるので、地面に接触してもバクテリアによって分解されず、腐食しない。また、遮光性シートの上端部に透光性シートが連結されており、透光性シートが遮光性シートよりも上方でフェンスに装着される。よって、明るい方向に伸びる習性のある蔓植物は、地面から立ち上がった後、透光性シートが存在する上方向に伸びるが、遮光性シートおよび透光性シートが蔓植物のフェンスへの絡み付きを阻止する。蔓植物は、ある程度の高さ（例えば８０ｃｍ程度）まで立ち上がると自立することができずに後方へ反り返る。よって、蔓植物が透光性シートおよびフェンスを乗り越えるのを防止することができる。
【００１１】
第２の発明は、第１の発明において、
上記遮光性シートおよび上記透光性シートは、共に、柔軟性素材で構成されて巻回可能であることを特徴とする。
【００１２】
第２の発明によれば、遮光性シートおよび透光性シートは、共に、柔軟性素材で構成されて巻回可能である。よって、ユーザは蔓巻き防止用シートをロール状に巻回した状態で持ち運びすることができる上、ロールを展開しながらフェンスに装着していくことができるので、運搬および設置が容易である。
【００１３】
第３の発明は、第２の発明において、
上記遮光性シートは、ポリエステル系繊維からなる不織布で構成されることを特徴とする。
【００１４】
第３の発明によれば、ポリエステル系繊維は強度が高い上にバクテリアによって分解されず、腐食しにくい。また、不織布は柔軟性に優れている。よって、第３の発明によれば、非腐食性および柔軟性に優れた蔓巻き防止用シートを提供することができる。
【００１５】
第４の発明は、第３の発明において、
上記不織布は、ペットボトルのリサイクル製品であることを特徴とする。
【００１６】
第４の発明によれば、不織布がペットボトルのリサイクル製品であるので、リサイクル製品を材料として蔓巻き防止用シートを製造することができる。よって、蔓巻き防止用シートを地球に優しいエコロジー製品とすることができる。
【００１７】
第５の発明は、第１の発明において、
少なくとも上記透光性シートには、当該透光性シートを補強する帯状の補強シートが取り付けられ、
上記補強シートには、上記透光性シートを上記フェンスに装着するための貫通孔が形成され、
上記貫通孔と上記フェンスの網目が連結具で連結されることにより、上記蔓巻き防止用シートが上記フェンスに装着されることを特徴とする。
【００１８】
第５の発明によれば、透光性シートには帯状の補強シートが取り付けられているので、透光性シートの耐久性を向上させることができる。また、補強シートの貫通孔とフェンスの網目を連結具で連結することで、透光性シートをフェンスに装着するので、容易かつ確実に透光性シートをフェンスに装着することができる。連結具は、例えば針金である。
【００１９】
第６の発明は、第５の発明において、
上記貫通孔の内周縁には、当該内周縁を補強する補強リングが取り付けられていることを特徴とする。
【００２０】
第６の発明によれば、補強シートの貫通孔の内周縁に補強リングが取り付けられているので、貫通孔の内周縁が連結具（例えば針金）に当たって切れてしまうなどの不都合を防止することができる。
【００２１】
第７の発明は、第１の発明において、
上記透光性シートは、メッシュ状シートであることを特徴とする。
【００２２】
第７の発明によれば、透光性シートがメッシュ状シートなので、透光性シートが風を受けたときに、メッシュの網目から風を逃がすことができる。よって、透光性シートが破れたり、或いは、透光性シートが受けた風圧によってフェンスが倒れたりする不都合を防止することができる。
【００２３】
第８の発明は、第１の発明において、
上記遮光性シートの下端部は、複数の貫通孔が形成されたシート端末押え用部材で上から押えられた状態で、上記貫通孔および上記地面に固定杭が打ち込まれることで、地面に固定されることを特徴とする。
【００２４】
第８の発明によれば、遮光性シートの下端部は、シート端末押え用部材で上から押えられ、シート端末押え用部材および固定杭によって地面に固定される。よって、遮光性シートと地面の間に隙間が生じるのを防止することができ、その隙間から蔓植物が侵入するのを確実に防止することができる。なお、第８の発明における「地面」は、土の地面、コンクリートの地面の双方を含む。
【００２５】
第９の発明は、第８の発明において、
上記固定杭は、コンクリート地面に用いるコンクリート用固定杭、又は土の地面に用いる土用固定杭のいずれかであることを特徴とする。
【００２６】
第９の発明によれば、コンクリート用固定杭を用いる場合には、遮光性シートをコンクリートの地面に固定することができ、土用固定杭を用いる場合には、遮光性シートを土の地面に固定することができる。
【００２７】
第１０の発明は、
第１の発明に係る蔓巻き防止用シートの設置方法であって、
少なくとも上記透光性シートには、当該透光性シートを補強する帯状の補強シートが取り付けられ、
上記補強シートには、上記透光性シートを上記フェンスに装着するための貫通孔が形成されており、
上記蔓巻き防止用シートの設置方法は、
上記遮光性シートの下端部を複数の貫通孔が形成されたシート端末押え用部材で上から押えた状態で、上記貫通孔から地面に固定杭を打ち込むことで、上記遮光性シートを上記地面に固定するステップと、
上記貫通孔と上記フェンスの網目を連結具で連結することにより、上記透光性シートを上記フェンスに装着するステップと、を備えた蔓巻き防止用シートの設置方法である。
【００２８】
第１０の発明によれば、蔓植物がフェンスを越えてフェンス内側の敷地に侵入し或いはフェンスと地面の間の隙間からフェンス内側の敷地に侵入するのを適切に防止し且つ耐久性が高い蔓巻き防止用シートを確実に設置することができる。
【発明の効果】
【００２９】
本発明によれば、蔓植物がフェンスを越えてフェンス内側の敷地に侵入するのを適切に防止するとともに耐久性が高い蔓巻き防止用シート、および、当該蔓巻き防止用シートの設置方法を提供することができる。
【図面の簡単な説明】
【００３０】
【図１】第１実施形態に係る蔓巻き防止用シートの外観を示す図であり、（ａ）は蔓巻き防止シートをフェンスに装着した状態を示す正面図、（ｂ）は蔓巻き防止シートをフェンスに装着した状態を示す側面図、（ｃ）は（ａ）の矢印Ａで示した領域を拡大して示す背面図、（ｄ）は（ｃ）で示した蔓巻き防止シートの側面図、（ｅ）は（ａ）の矢印Ｂで示した領域を拡大して示す背面図、（ｆ）は（ｅ）で示した蔓巻き防止シートの側面図
【図２】遮光性シートの下端部を地面に固定するための部品を示す図であり、（ａ）はシート端末押え用部材を示す平面図、側面図、および端面図、（ｂ）はコンクリート用固定杭を示す図、（ｃ）は土用固定杭を示す図
【図３】蔓巻き防止用シート同士を横方向に連結しつつ、蔓巻き防止用シートをフェンスに装着した状態を示す正面図
【図４】図３の矢印Ｃで示した領域を拡大して示す図であり、（ａ）は当該領域を上方向から見た図、（ｂ）は当該領域を正面から見た図
【図５】第２実施形態に係る蔓巻き防止用シートをフェンスに装着した状態で示す正面図
【発明を実施するための形態】
【００３１】
（第１実施形態）
以下、本発明の第１実施形態に係る蔓巻き防止用シートについて、図面を参照しながら説明を行う。図１は、第１実施形態に係る蔓巻き防止用シートの外観を示す図であり、（ａ）は蔓巻き防止シートをフェンスに装着した状態で示す正面図、（ｂ）は蔓巻き防止シートをフェンスに装着した状態で示す側面図、（ｃ）は（ａ）の矢印Ａで示した領域を拡大して示す背面図、（ｄ）は（ｃ）で示した蔓巻き防止シートの側面図、（ｅ）は（ａ）の矢印Ｂで示した領域を拡大して示す背面図、（ｆ）は（ｅ）で示した蔓巻き防止シートの側面図である。なお、図１（ｂ）においては左側がフェンス外側の敷地、右側がフェンス内側の敷地である。
【００３２】
第１実施形態に係る蔓巻き防止用シート１０は、蔓植物がフェンス１１に登ることを防止するために当該フェンス１１に装着されるシートである。
【００３３】
なお、蔓巻き防止用シート１０が装着されるフェンス１１には、例えば、未整地の敷地、コンクリート劣化損傷の敷地、無線鉄塔、変電所、配電所、送電所、等の周囲に設けられたネットフェンス、アルミ・ステンレスフェンス、格子フェンス、メッシュフェンス等がある。
【００３４】
蔓巻き防止用シート１０は、遮光性シート１０ｂと、透光性シート１０ａとを備えている。
【００３５】
遮光性シート１０ｂは、地面から立ち上がるようにフェンス１１に装着される非腐食性のシートである。遮光性シート１０ｂは、柔軟性素材で構成されて巻回可能である。遮光性シート１０ｂの素材は柔軟性を有していれば特に限定されるものではないが、例えば、ポリエステル系繊維からなる不織布で構成することができる。遮光性シート１０ｂをポリエステル系繊維からなる不織布で構成する場合、不織布はペットボトルのリサイクル製品であることが好ましい。また、遮光性シート１０ｂの表面は、蔓植物が絡み付くことができないような平坦性を有している。
【００３６】
遮光性シート１０ｂを不織布で構成する場合について詳しく説明する。遮光性シート１０ｂは、例えば使用済みのペットボトルのリサイクル繊維であるポリエステル繊維を１００％使用したものであり、１平方メートルで７００ｇの繊維使用量と、特殊焼き付け加工を施こした高強度シートであり、いわゆる「地球に優しい」製品である。
【００３７】
遮光性シート１０ｂは、ペットボトルのリサイクルにおいて、回収した廃ペットボトルを粉砕・洗浄し金属などの異物を取り除いた後、フレークやペレットの状態にしてポリエチレンテレフタレート素材を得て、このポリエチレンテレフタレート素材をポリエステル繊維として再製品化することで得られる。このように、蔓巻き防止用シート１０に用いる遮光性シート１０ｂはポリエステルで構成されているために、土中からのバクテリアによる腐食被害を防止でき、耐久性を高く保つことができる。
【００３８】
また、遮光性シート１０ｂは、透水性に優れているため、雨水は自然排水される。
【００３９】
さらに、遮光性シート１０ｂは密度をより細かく編みこんでいるために耐候性、耐久性に優れている（例えば１平方メートルでペットボトル１５本分のリサイクル繊維を使用、耐用年数１０年以上）。また、遮光性シート１０ｂは、耐薬品性にも優れ、ガソリン、軽油等の薬品にも化学変化を起こすことは無い。またさらに、遮光性シート１０ｂはポリエステルで構成されているために、家庭用ゴミとして処理することができ、燃やしてもダイオキシン等、環境公害の心配は不要である。
【００４０】
遮光性シート１０ｂは、横方向に伸びる帯状に構成されており、設置前の高さ（帯幅）が例えば約１０００ｍｍである。なお、設置時には、遮光性シート１０ｂは、少なくとも下端部が地面に接地し且つ中途部から上方に立ち上がるように屈曲した状態でフェンス１１に取り付けられる。よって、設置時には、例えば、５００ｍｍの幅分が接地し、５００ｍｍの幅分が立ち上がった状態となる（図１（ｂ）参照）。
【００４１】
遮光性シート１０ｂの背面（フェンス１１に対向する側の面）には、遮光性シート１０ｂを補強する帯状の補強シート１０ｃが取り付けられている。補強シート１０ｃは、横方向に伸びており、遮光性シート１０ｂの高さ方向中途部に１本または複数本設けられている。図１に示される例では１本である。補強シート１０ｃは、その上側が遮光性シート１０ｂの背面に縫い付けられており、下側は縫い付けられていない。補強シート１０ｃの下端部には、遮光性シート１０ｂをフェンス１１に装着するための貫通孔１２が形成されている。貫通孔１２の内周縁には、当該内周縁を補強する補強リング（図示せず）が取り付けられている。また、遮光性シート１０ｂにおいては、図１（ａ）に示されるように、その左側端部および右側端部に貫通孔１２が形成される。貫通孔１２の内周縁には、当該内周縁を補強する補強リング（図示せず）が取り付けられている。貫通孔１２とフェンス１１の網目が連結具で連結されることにより、遮光性シート１０ｂがフェンス１１に装着される。連結具の種類は特に限定されないが、例えば針金である。
【００４２】
図２は、遮光性シート１０ｂの下端部を地面に固定するための部品を示す図であり、（ａ）はシート端末押え用部材を示す平面図、側面図、および端面図、（ｂ）はコンクリート用固定杭を示す図、（ｃ）は土用固定杭を示す図である。
【００４３】
遮光性シート１０ｂの下端部は、図１（ｂ）に示されるように、複数の貫通孔１３ａ（図２（ａ）参照）が形成されたシート端末押え用部材１３で上から押えられた状態で、貫通孔１３ａから地面に固定杭１４が打ち込まれることで、地面に固定される。固定杭１４は、コンクリート地面１７に用いられるコンクリート用固定杭１４ａ、または土の地面１８に用いられる土用固定杭１４ｂのいずれかである。コンクリート用固定杭１４ａは、土用固定杭１４ｂに比べて強度が高くて短い。
【００４４】
図１に示されるように、透光性シート１０ａは、遮光性シート１０ｂの上端部に連結され、遮光性シート１０ｂよりも上方でフェンス１１に装着されるシートである。透光性シート１０ａの下端部は、遮光性シート１０ｂの上端部とラップしており、そのラップ状態で相互に縫い付けられている。透光性シート１０ａは、柔軟性素材で構成されて巻回可能である。遮光性シート１０ｂの表面は、蔓植物が絡み付くことができないような平坦性を有している。透光性シート１０ａの素材は柔軟性を有していれば特に限定されるものではないが、例えば、ナイロン或いはポリ塩化ビニルから構成することができる。ナイロン或いはポリ塩化ビニルからなる透光性シート１０ａは、自己潤滑性を有しているため、蔓植物の絡み付きがより一層防止される。透光性シート１０ａは、横方向に伸びる帯状に構成されており、例えば、高さ（帯幅）が約１０００ｍｍである。
【００４５】
透光性シート１０ａの背面（フェンス１１に対向する側の面）には、透光性シート１０ａを補強する帯状の補強シート１０ｃが取り付けられている（図１（ｅ），（ｆ）参照）。補強シート１０ｃは、横方向に伸びており、透光性シート１０ａの高さ方向中途部に１本または複数本設けられている。図１（ａ）に示される例では１本である。補強シート１０ｃは、図１（ｆ）に示されるように、その上側が遮光性シート１０ｂの背面に接着剤で固定されており、下側は固定されていない。図１（ｆ）は、補強シート１０ｃの下側が固定されていないことを示すために、便宜上、補強シート１０ｃの下側を透光性シート１０ａから離した状態で示している。透光性シート１０ａに取り付けられる補強シート１０ｃは、遮光性シート１０ｂに取り付けられる補強シート１０ｃと同様のものである。貫通孔１２とフェンス１１の網目が連結具で連結されることにより、透光性シート１０ａがフェンス１１に装着される。連結具の種類は特に限定されないが、例えば針金である。
【００４６】
透光性シート１０ａにおいては、図１（ａ）に示されるように、その上端部、左側端部、および右側端部に直接、貫通孔１２が形成される。図１（ｃ），（ｄ）に示される例では、透光性シート１０ａの上端部、左側端部、および右側端部で透光性シート１０ａが折り返されており、その折り返し片が対向部分と縫い付けられている。よって、その折り返し片によって透光性シート１０ａの上端部、左側端部、および右側端部が補強された状態になっている。その補強された上端部、左側端部、および右側端部に貫通孔１２が形成されている。貫通孔１２の内周縁には、当該内周縁を補強する補強リング（図示せず）が取り付けられている。貫通孔１２とフェンス１１の網目が連結具で連結されることにより、遮光性シート１０ｂがフェンス１１に装着される。連結具の種類は特に限定されないが、例えば針金である。
【００４７】
図３は、蔓巻き防止用シート１０同士を横方向に連結しつつ、蔓巻き防止用シート１０をフェンス１１に装着した状態を示す図である。図４は、図３の矢印Ｃで示した領域を拡大して示す図であり、（ａ）は当該領域を上方向から見た図、（ｂ）は当該領域を正面から見た図である。
【００４８】
蔓巻き防止用シート１０同士を横方向に連結しつつ、蔓巻き防止用シート１０をフェンス１１に連結するために、連結具１５が使用される。連結具１５は、例えば合成樹脂板をその両側からアルミ板でサンドイッチした構造の２枚の複合板１５ａと、これら２枚の複合板１５ａを連結するボルトおよびナット１５ｂとを含む。連結具１５ａは、軽量かつ高剛性の帯状部材であり、ボルト１５ｂを挿通させる貫通孔を有している。連結具１５は、その長さ方向が縦方向となるように配置される。貫通孔の位置は、透光性シート１０ａの左側端部および右側端部、遮光性シート１０ｂの左側端部および右側端部に設けられた貫通孔１２の位置に対応している。
【００４９】
図４（ａ）に示されるように、隣り合う蔓巻き防止用シート１０同士が重なった部分において、蔓巻き防止用シート１０とフェンス１１を両側から挟むように２枚の複合板１５ａを配置する。その際、各蔓巻き防止用シート１０の貫通孔１２と各複合板１５ａの貫通孔を位置合わせした状態にする。そして、２枚の複合板１５ａで蔓巻き防止用シート１０とフェンス１１を締め付けるように２枚の複合板１５ａをボルトおよびナット１５ｂで連結する。これにより、蔓巻き防止用シート１０同士を横方向に連結しつつ、蔓巻き防止用シート１０をフェンス１１に装着することができる。なお、複合板１５ａの帯幅は例えば５０ｍｍであり、透光性シート１０ａ同士のラップ幅は、例えば２００〜５００ｍｍである（図４（ｂ）参照）。
【００５０】
また、ボルト１５ｂは、例えばＭ８ボルトである。複合板１５ａには、予め貫通孔を形成しておいてもよいが、現地で穴加工をすることで貫通孔を形成してもよい。複合板１５ａと遮光性シート１０ｂとが重なり合う領域には専用プライマを塗布することにより、複合板１５ａと遮光性シート１０ｂを接着する。また、この専用プライマは、金属べらで充分伸ばし、上下両面に接着する必要がある。
【００５１】
次に、蔓巻き防止用シート１０のフェンス１１への装着手順について説明を行う。
最初に、作業者は、変電所等を囲んでいるフェンス１１周辺が未整地である場合には、蔓巻き防止用シート１０の設置範囲で除草を行う。
【００５２】
除草後、作業者は地面になるべく凹凸が生じないように整地を行う。なお、転圧作業を行うと蔓巻き防止用シート１０の施工後の出来上がりが良くなる。また、地面がコンクリートの場合には、コンクリートの表面をケレンし、遮光性シート１０ｂとの接着面を確保することが有効となる。
【００５３】
次いで、作業者は、上述したように、シート端末押え金具１３及び固定杭１４を用いて土地面１８やコンクリート地面１７に蔓巻き防止用シート１０の下端側を固定する。すなわち、遮光性シート１０ｂの下端部をシート端末押え金具１３で上から押えた状態で、シート端末押え用部材１３の貫通孔１３から遮光性シート１０ｂおよび地面（土地面１８またはコンクリート地面１７）に対して固定杭１４を垂直に打ち込む。コンクリート地面に蔓巻き防止用シート１０の下端側を固定する場合には、コンクリート用固定杭１４ａを打ち込む前に、コンクリート地面と遮光性シート１０ｂを専用プライマにて接着しておくことにより、遮光性シート１０ｂをコンクリート地面により強固に固定することができる。
【００５４】
次に、作業者は、蔓巻き防止用シート１０の貫通孔１２に針金等の連結具を通してフェンス１１の線材に蔓巻き防止用シート１０を装着する。また、蔓巻き防止用シート１０を横方向に連結しつつ、蔓巻き防止用シート１０をフェンス１１に装着する場合には、連結具１５を用いて装着作業を行う。
以上により、作業者は蔓巻き防止用シート１０をフェンス１１に強固に固定することができる。
【００５５】
以上説明したように、蔓巻き防止用シート１０によれば、遮光性シート１０ｂは地面から立ち上がるようにフェンス１１に装着されるので、遮光性シート１０ｂと地面の間に隙間が生じない。よって、遮光性シート１０ｂと地面の間から蔓植物が侵入するのを防止することができる。また、遮光性シート１０ｂは非腐食性であるので、地面に接触してもバクテリアによって分解されず、腐食しない。また、遮光性シート１０ｂの上端部には透光性シート１０ａが連結されており、透光性シート１０ａは遮光性シート透光性シート１０ｂよりも上方でフェンスに１１に装着される。よって、明るい方向に伸びる習性のある蔓植物は、地面から立ち上がった後、透光性シート１０ａが存在する上方向に伸びるが、遮光性シート１０ｂおよび透光性シート１０ａが蔓植物のフェンス１１への絡み付きを阻止する。蔓植物は、ある程度の高さ（例えば８０ｃｍ程度）まで立ち上がると自立することができずに後方へ反り返る。よって、蔓植物が透光性シート１０ａおよびフェンス１１を乗り越えて敷地内に侵入するのを防止することができる。
【００５６】
また、蔓巻き防止用シート１０によれば、遮光性シート１０ｂおよび透光性シート１０ａは、共に、柔軟性素材で構成されて巻回可能である。よって、ユーザは蔓巻き防止用シート１０をロール状に巻回した状態で持ち運びすることができる上、ロールを展開しながらフェンスに装着していくことができるので、運搬および設置が容易である。
【００５７】
また、蔓巻き防止用シート１０によれば、ポリエステル系繊維は強度が高い上にバクテリアによって分解されず、腐食しにくい。不織布は柔軟性に優れている。よって、蔓巻き防止用シート１０によれば、非腐食性および柔軟性に優れた蔓巻き防止用シート１０を提供することができる。
【００５８】
また、蔓巻き防止用シート１０によれば、不織布がペットボトルのリサイクル製品であるので、リサイクル製品を材料として蔓巻き防止用シート１０を製造することができる。よって、蔓巻き防止用シート１０を地球に優しいエコロジー製品とすることができる。
【００５９】
また、蔓巻き防止用シート１０によれば、透光性シート１０ａには帯状の補強シート１０ｃが取り付けられているので、透光性シート１０ａの耐久性を向上させることができる。また、補強シート１０ｃの貫通孔１２とフェンス１１の網目を連結具（例えば針金）で連結することで、透光性シート１０ａをフェンス１１に装着するので、容易かつ確実に透光性シート１０ａをフェンス１１に装着することができる。
【００６０】
また、蔓巻き防止用シート１０によれば、補強シート１０ｃの貫通孔１２の内周縁に補強リングが取り付けられているので、貫通孔１２の内周縁が連結具（例えば針金）に当たって切れてしまうなどの不都合を防止することができる。
【００６１】
また、蔓巻き防止用シート１０によれば、遮光性シート１０ｂの下端部は、シート端末押え用部材１３で上から押えられ、シート端末押え用部材１３および固定杭１４によって地面に固定される。よって、遮光性シート１０ｂと地面の間に隙間が生じるのを防止することができ、その隙間から蔓植物が侵入するのを確実に防止することができる。
【００６２】
また、蔓巻き防止用シート１０によれば、コンクリート用固定杭１４ｂを用いる場合には、遮光性シート１０ｂをコンクリートの地面１７に固定することができ、土用固定杭１４ｂを用いる場合には、遮光性シート１０ｂを土の地面１８に固定することができる。
【００６３】
なお、蔓巻き防止用シート１０の色彩は、例えば、グレーやグリーン等の色彩とすることができ、蔓巻き防止用シート１０の寸法は、例えば２ｍ×４０ｍ（高さ×全長）や１ｍ×４０ｍ（高さ×全長）等、フェンス１１の大きさに合わせて変更することができる。
【００６４】
（第２実施形態）
以下、第２実施形態に係る蔓巻き防止用シートに関して図面を参照しながら説明を行う。図５は、第２実施形態に係る蔓巻き防止用シートを示す正面図である。なお、第１実施形態と同様の構成については、同一の参照符号を付してその説明を省略する。
【００６５】
第２実施形態に係る蔓巻き防止用シート５０は、メッシュ状の透光性シート５０ａを用いたことを特徴とする。透光性シート５０は、メッシュの網目で光を透過する。
【００６６】
蔓巻き防止用シート５０は、遮光性シート５０ｂの上端部にメッシュ状の透光性シート５０ａが縫い合わされたものである。この透光性シート５０ａの材質は、特に限定されるものではないが、例えば、ポリエステルである。
【００６７】
また、透光性シート５０ａにおいてメッシュの占める実面積の割合を表す充填率（ここで充填率とは網の実面積／網の外郭面積の比率）は、約０．３〜０．９等、蔓巻き防止用シート５０が使用される環境に合わせて様々に設定することができる。また、この充填率により蔓巻き防止用シート５０の風力係数が決定される。また、透光性シート５０ａは焼却時にダイオキシンの発生要因となるハロゲン含有物質を使用していないために安全に使用することができる。なお、メッシュの充填率は、蔓植物が絡み付くことができない平坦性を確保するように設定される。
【００６８】
以上のように、蔓巻き防止用シート５０は、メッシュシート５０ａを用いることで、蔓巻き防止用シート５０が受ける風圧を低減できると共に、蔓巻き防止用シート５０の軽量化を図ることが可能となる。よって、フェンス１１への装着作業が楽になり、フェンス１１への重量負荷を軽減することもできる。
【００６９】
なお、図面には各部材の寸法を記載しているが、この寸法は一例であって、限定されるものではなく、任意に変更可能である。
【産業上の利用可能性】
【００７０】
本発明は、例えば、無線鉄塔、変電所、配電所、送電所等を囲むフェンスを越えて、蔓植物が無線鉄塔等の敷地内に侵入するのを防止する蔓巻き防止用シート等に用いることができる。
【符号の説明】
【００７１】
１０，５０  蔓巻き防止用シート
１０ａ  透光性シート
１０ｂ，５０ｂ  遮光性シート
１１  フェンス
１２  蔓巻き防止用シートの貫通孔
１３  シート端末押え用部材
１４  固定杭
１４ａ  コンクリート用固定杭
１４ｂ  土用固定杭
１５  連結具
１５ａ  複合板
１５ｂ  ボルトおよびナット
１７  コンクリート地面
１８  土地面
５０ａ  メッシュ状の透光性シート
【図１】
2011024483.tif 000003
【図２】
2011024483.tif 000004
【図３】
2011024483.tif 000005
【図４】
2011024483.tif 000006
【図５】
2011024483.tif 000007
【手続補正書】
【提出日】平成21年11月27日(2009.11.27)
【手続補正１】
【補正対象書類名】明細書
【補正対象項目名】００１７
【補正方法】削除
【補正の内容】
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
第５の発明は、第１の発明において、
上記透光性シートは、メッシュ状シートであることを特徴とする。
【手続補正６】
【補正対象書類名】明細書
【補正対象項目名】００２２
【補正方法】変更
【補正の内容】
【００２２】
第５の発明によれば、透光性シートがメッシュ状シートなので、透光性シートが風を受けたときに、メッシュの網目から風を逃がすことができる。よって、透光性シートが破れたり、或いは、透光性シートが受けた風圧によってフェンスが倒れたりする不都合を防止することができる。
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
第６の発明は、
第１の発明に係る蔓巻き防止用シートの設置方法であって、
少なくとも上記透光性シートには、当該透光性シートを補強する帯状の補強シートが取り付けられ、
上記補強シートには、上記透光性シートを上記フェンスに装着するための貫通孔が形成されており、
上記蔓巻き防止用シートの設置方法は、
上記遮光性シートの下端部を複数の貫通孔が形成されたシート端末押え用部材で上から押えた状態で、上記貫通孔から地面に固定杭を打ち込むことで、上記遮光性シートを上記地面に固定するステップと、
上記貫通孔と上記フェンスの網目を連結具で連結することにより、上記透光性シートを上記フェンスに装着するステップと、を備えた蔓巻き防止用シートの設置方法である。
【手続補正１２】
【補正対象書類名】明細書
【補正対象項目名】００２８
【補正方法】変更
【補正の内容】
【００２８】
第６の発明によれば、蔓植物がフェンスを越えてフェンス内側の敷地に侵入し或いはフェンスと地面の間の隙間からフェンス内側の敷地に侵入するのを適切に防止し且つ耐久性が高い蔓巻き防止用シートを確実に設置することができる。
【手続補正１３】
【補正対象書類名】特許請求の範囲
【補正対象項目名】全文
【補正方法】変更
【補正の内容】
【特許請求の範囲】
【請求項１】
蔓植物がフェンスに登ることを防止するために当該フェンスに装着される蔓巻き防止用シートであって、
地面から立ち上がるように前記フェンスに装着される非腐食性の遮光性シートと、
前記遮光性シートの上端部に連結され、前記遮光性シートよりも上方で前記フェンスに装着される透光性シートと、を備えた蔓巻き防止用シート。
【請求項２】
前記遮光性シートおよび前記透光性シートは、共に、柔軟性素材で構成されて巻回可能であることを特徴とする請求項１に記載の蔓巻き防止用シート。
【請求項３】
前記遮光性シートは、ポリエステル系繊維からなる不織布で構成されることを特徴とする請求項２記載の蔓巻き防止用シート。
【請求項４】
前記不織布は、ペットボトルのリサイクル製品であることを特徴とする請求項３記載の蔓巻き防止用シート。
【請求項５】
前記透光性シートは、メッシュ状シートであることを特徴とする請求項１に記載の蔓巻き防止用シート。
【請求項６】
請求項１に記載の蔓巻き防止用シートの設置方法であって、
少なくとも前記透光性シートには、当該透光性シートを補強する帯状の補強シートが取り付けられ、
前記補強シートには、前記透光性シートを前記フェンスに装着するための貫通孔が形成されており、
前記蔓巻き防止用シートの設置方法は、
前記遮光性シートの下端部を複数の貫通孔が形成されたシート端末押え用部材で上から押えた状態で、前記貫通孔から地面に固定杭を打ち込むことで、前記遮光性シートを前記地面に固定するステップと、
前記貫通孔と前記フェンスの網目を連結具で連結することにより、前記透光性シートを前記フェンスに装着するステップと、を備えた蔓巻き防止用シートの設置方法。